(57)【要約】【課題】本発明は、長さの変更が容易であり、かつ梱包物が露出し難い箱体が形成できる箱体用シートセットの提供を目的とする。【解決手段】本発明の箱体用シートセットは、組立時に第１多角筒状部を構成する第１側面パネルと、第１側面パネルの一方の端縁から延出し第１多角筒状部の内面に折り重ねられる第１外れ留めフラップと、第１側面パネルの他方の端縁から延出し第１多角筒状部の開口を閉塞可能な第１蓋フラップとを有する第１箱部材用シートと、第２多角筒状部を構成する第２側面パネルと、隣接する第２側面パネルに跨って第２側面パネルの一方の端縁から延出し第２多角筒状部の外面に折り重ねられる第２外れ留めフラップとを有する第２箱部材用シートとを備え、第２多角筒状部が第１多角筒状部に内嵌し摺動可能に構成され、かつ離間する方向に摺動させた際第１外れ留めフラップの端縁と第２外れ留めフラップの端縁とが当接又は係合する。【選択図】図５
2020117231.tif 000002
【特許請求の範囲】
【請求項１】
第１箱部材用シート及び第２箱部材用シートを備える箱体用シートセットであって、
上記第１箱部材用シートが、
一方向に連接され、組立時に第１多角筒状部を構成する複数の第１側面パネルと、
上記複数の第１側面パネルの一方の端縁から延出し、上記第１多角筒状部の内面に折り重ねられる複数の第１外れ留めフラップと、
少なくとも１つの上記第１側面パネルの他方の端縁から延出し、上記第１多角筒状部の他方の端縁側の開口を閉塞可能な１又は複数の第１蓋フラップと
を有し、
上記第２箱部材用シートが、
一方向に連接され、組立時に第２多角筒状部を構成する上記第１側面パネルと同数の第２側面パネルと、
隣接する２以上の第２側面パネルに跨って上記第２側面パネルの一方の端縁から延出し、上記第２多角筒状部の外面に折り重ねられる１又は複数の第２外れ留めフラップと
を有し、
組立時に、上記第２多角筒状部が上記第１多角筒状部に内嵌し摺動可能に構成され、かつ上記第１多角筒状部及び上記第２多角筒状部を離間する方向に摺動させた際、上記第１外れ留めフラップの端縁と上記第２外れ留めフラップの端縁とが当接又は係合するように構成される箱体用シートセット。
【請求項２】
上記第１側面パネル数が４であり、
上記第２外れ留めフラップ数が２であり、
上記第２外れ留めフラップが、隣接する２枚の第２側面パネルに跨って上記第２側面パネルの一方の端縁から延出する請求項１に記載の箱体用シートセット。
【請求項３】
組立時に対向する一対の上記第１外れ留めフラップが、先端縁同士を突き合わせ可能に構成される請求項２に記載の箱体用シートセット。
【請求項４】
上記第２外れ留めフラップが、隣接する第２側面パネルの境界線から連続して延出する切断線を有する請求項２又は請求項３に記載の箱体用シートセット。
【請求項５】
上記第２外れ留めフラップを上記切断線に沿って切断した状態で、組立時に対向する一対の上記第２外れ留めフラップが、先端縁同士を突き合わせ可能に構成される請求項４に記載の箱体用シートセット。
【発明の詳細な説明】
【技術分野】
【０００１】
本発明は、箱体用シートセットに関する。
【背景技術】
【０００２】
近年、ネットショッピングや通信販売等の発達で多くの種類の商品が多数配送されている。これらの商品の中には、全長が長い物品、いわゆる長尺物が含まれる。配送時には商品は段ボール箱等により梱包されているが、このような長尺物の梱包には、例えば２以上の筒状部材をつなぎ合わせた箱体が用いられる。
【０００３】
長尺物はその長さが輸送時に障害となるため、梱包された状態で極力全長を短く抑えることが望まれる。ところが、近年の物流商品の多様化に伴って、長尺物にあってもその全長が多様となっているため、上述の要望に対応するには、長尺物ごとに適した長さの箱体を準備する必要がある。
【０００４】
このような要求に対して、全長を可変とした箱体（釣り竿ケース）が提案されている（特開２００８−２４５５４３号公報参照）。この釣り竿ケースは、収納ケースと、カバーケースと、連結ケースと、スペーサケースとを備える。上記釣り竿ケースでは、スペーサケースが収納されたカバーケースと、連結ケースが挿入された収納ケースとを嵌合させることで一体化し、長尺物を内部に梱包可能に構成されている。
【０００５】
上記釣り竿ケースでは、連結ケースの端部とスペーサケースの端部とが当接することで、カバーケースと収納ケースとが一体化し箱体を形成する。従って、長さの異なるスペーサケースを用いることで、箱体の長さが変えられるように構成されている。
【０００６】
しかしながら、上記釣り竿ケースでは、梱包する長尺物の長さが異なればその長さに応じたスペーサケースを用意する必要がある。このため、長尺物ごとに適した長さの箱体を準備することは容易ではない。また、上記釣り竿ケースの全長を長くしようとすると、嵌合部分の長さが短くなる。さらに全長が長いほど例えば配送時に周囲の物体に接触し易くなることも加味すれば、上記釣り竿ケースの全長を長くするほど、カバーケースと収納ケースとが外れ易く、収められた梱包物が露出し易くなる。このような状態で配送されれば、梱包されている長尺物が傷付くおそれが生じる。
【先行技術文献】
【特許文献】
【０００７】
【特許文献１】特開２００８−２４５５４３号公報
【発明の概要】
【発明が解決しようとする課題】
【０００８】
本発明は、上述のような事情に基づいてなされたものであり、長さの変更が容易であり、かつ梱包物が露出し難い箱体が形成できる箱体用シートセットの提供を目的とする。
【課題を解決するための手段】
【０００９】
上記課題を解決するためになされた発明は、それぞれ箱体を形成するよう組み立て可能な第１箱部材用シート及び第２箱部材用シートを備える箱体用シートセットであって、上記第１箱部材用シートが、一方向に連接され、組立時に第１多角筒状部を構成する複数の第１側面パネルと、上記複数の第１側面パネルの一方の端縁から延出し、上記第１多角筒状部の内面に折り重ねられる複数の第１外れ留めフラップと、少なくとも１つの上記第１側面パネルの他方の端縁から延出し、上記第１多角筒状部の他方の端縁側の開口を閉塞可能な１又は複数の第１蓋フラップとを有し、上記第２箱部材用シートが、一方向に連接され、組立時に第２多角筒状部を構成する上記第１側面パネルと同数の第２側面パネルと、隣接する２以上の第２側面パネルに跨って上記第２側面パネルの一方の端縁から延出し、上記第２多角筒状部の外面に折り重ねられる１又は複数の第２外れ留めフラップとを有し、組立時に、上記第２多角筒状部が上記第１多角筒状部に内嵌し摺動可能に構成され、かつ上記第１多角筒状部及び上記第２多角筒状部を離間する方向に摺動させた際、上記第１外れ留めフラップの端縁と上記第２外れ留めフラップの端縁とが当接又は係合するように構成される。
【００１０】
当該箱体用シートセットにより組み立てられる第１箱部材及び第２箱部材は、第２多角筒状部を上記第１多角筒状部に内嵌させ、摺動させることができる。この摺動により第１箱部材と第２箱部材とが重なる部分の長さを変え、第１箱部材及び第２箱部材を組み合わせた箱体の長さの変更を容易に行うことができる。また、上記第１箱部材及び上記第２箱部材は、第１多角筒状部及び上記第２多角筒状部を離間する方向に摺動させた際、第１外れ留めフラップの端縁と第２外れ留めフラップの端縁とが当接又は係合するように構成されている。この当接又は係合により第１箱部材及び第２箱部材が外れることを抑止できるので、梱包物が露出し難い。
【００１１】
上記第１側面パネル数が４であり、上記第２外れ留めフラップ数が２であり、上記第２外れ留めフラップが、隣接する２枚の第２側面パネルに跨って上記第２側面パネルの一方の端縁から延出するとよい。第１側面パネル数を４とすることで、当該箱体用シートセットから直方体状の箱体を形成することができる。このように形成される箱体を直方体状とすることで、載置した際に転がり難く、かつ容易に積み重ねられるので、配送時の利便性が向上する。また、第２外れ留めフラップ数を２とすることで、第２側面パネルの一方の端縁全てに第２外れ留めフラップが配設されるので、第１外れ留めフラップの端縁と第２外れ留めフラップの端縁とをより確実に当接又は係合させることができるとともに、当接又は係合による破損に対する強度を確保し易い。さらに、第２外れ留めフラップ数を２とすることで、第２外れ留めフラップを第２多角筒状部に重ね折りし易くなり、摺動時にも邪魔になり難い。
【００１２】
組立時に対向する一対の上記第１外れ留めフラップが、先端縁同士を突き合わせ可能に構成されるとよい。このように組立時に対向する一対の第１外れ留めフラップを、先端縁同士を突き合わせ可能に構成することで、組立時に第１外れ留めフラップにより第１多角筒状部の一方の端縁側の開口を閉塞することができる。従って、第１箱部材を単独で利用することが可能となる。
【００１３】
上記第２外れ留めフラップが、隣接する第２側面パネルの境界線から連続して延出する切断線を有するとよい。このように上記第２外れ留めフラップに上述の切断線を設けることで、この切断線を起点として第２外れ留めフラップを精度よく折り曲げ易くすることができる。従って、第２箱部材を組み立て易くするとともに、その形状を安定させることができる。
【００１４】
上記第２外れ留めフラップを上記切断線に沿って切断した状態で、組立時に対向する一対の上記第２外れ留めフラップが、先端縁同士を突き合わせ可能に構成されるとよい。このように切断線に沿って切断した状態で組立時に対向する一対の第２外れ留めフラップを、先端縁同士を突き合わせ可能に構成することで、組立時に第２外れ留めフラップにより第２多角筒状部の一方の端縁側の開口を閉塞することができる。従って、第２箱部材を単独で利用することが可能となる。
【発明の効果】
【００１５】
以上説明したように、本発明の箱体用シートセットを用いることで、長さの変更が容易であり、かつ梱包物が露出し難い箱体が形成できる。
【図面の簡単な説明】
【００１６】
【図１】図１は、本発明の一実施形態に係る第１箱部材用シートを示す模式的平面図である。
【図２】図２は、図１の第１箱部材用シートを組み立てて形成される第１箱部材を示す模式的斜視図である。
【図３】図３は、本発明の一実施形態に係る第２箱部材用シートを示す模式的平面図である。
【図４】図４は、図３の第２箱部材用シートを組み立てて形成される第２箱部材を示す模式的斜視図である。
【図５】図５は、図２の第１箱部材に図４の第２箱部材を内嵌させた状態を示す模式的斜視図である。
【図６】図６は、図５の第１箱部材の第１外れ留めフラップの端縁と図５の第２箱部材の第２外れ留めフラップの端縁とが当接した状態を示す模式的断面図である。
【発明を実施するための形態】
【００１７】
以下、本発明の一実施形態に係る箱体用シートセットについて適宜図面を参照しつつ説明する。
【００１８】
本発明の一実施形態に係る箱体用シートセットは、図１に示す第１箱部材用シート１及び図３に示す第２箱部材用シート２を備える。
【００１９】
第１箱部材用シート１及び第２箱部材用シート２は、それぞれ箱体を形成するよう組み立て可能である。具体的には、第１箱部材用シート１により図２に示す第１箱部材１０を組み立てることができ、第２箱部材用シート２により図４に示す第２箱部材２０を組み立てることができる。
【００２０】
当該箱体用シートセットに用いられるシートとしては、当該箱体用シートセットを組み立ててなる第１箱部材１０及び第２箱部材２０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の観点から紙製シートが好ましく、段ボールシートが特に好ましい。当該箱用シートを形成する段ボールとしては、原紙を波形状に形成した中芯をライナーに貼り合わせたものであって、両面段ボールシート、複両面段ボールシート等が挙げられる。これらの中でも、加工性、経済性、耐久性等の点から両面段ボールシートが好ましい。
【００２１】
上記シートが段ボールシートである場合、シートの厚さの下限としては、強度の観点から、３ｍｍが好ましい。一方、上記厚さの上限としては、特に限定されないが、箱体への組立の容易性から８ｍｍが好ましい。
【００２２】
＜第１箱部材用シート＞
第１箱部材用シート１は、一方向に連接される４つの第１側面パネル１１と、４つの第１側面パネル１１の一方の端縁から延出する４つの第１外れ留めフラップ１２と、第１側面パネル１１の他方の端縁から延出する４つの第１蓋フラップ１３と、一方の側端に配設される第１側面パネル１１の側縁から延出する糊代部１４とを有する。
【００２３】
（第１側面パネル）
第１側面パネル１１は、図２に示すように、組立時に第１多角筒状部１５を構成する。当該箱体用シートセットでは、第１側面パネル数が４であり、第１多角筒状部１５は、四角筒状となる。つまり、第１側面パネル数を４とすることで、当該箱体用シートセットから直方体状の箱体を形成することができる。このように形成される箱体を直方体状とすることで、載置した際に転がり難く、かつ容易に積み重ねられるので、配送時の利便性が向上する。
【００２４】
４つの第１側面パネル１１は、それぞれ方形状であり、連接方向（図１のｙ方向）に対して１つおきに同一形状とされる。つまり、４つの第１側面パネル１１は、同一形状の一対のパネル２組で構成されている。２組のパネルは、長さ（図１のｘ方向の長さ）が等しい。一方、２組のパネルは、幅（図１のｙ方向の長さ）は異なってもよく、図１の第１箱部材用シート１では、連接される第１側面パネル１１の一方の側端（図１の上側）から幅の長いパネル（第１長側面パネル１１ａ）と、幅の短いパネル（第１短側面パネル１１ｂ）が交互に連接されている。以降、図１の第１側面パネル１１の構成に従って説明するが、第１側面パネル１１の構成はこれに限定されるものではない。例えば幅の長いパネルと幅の短いパネルとは逆順に並んでもよいし、幅が等しいパネルが並んでいてもよい。
【００２５】
なお、第１側面パネル１１（第１長側面パネル１１ａ及び第１短側面パネル１１ｂ）の長さ、第１長側面パネル１１ａの幅、及び第１短側面パネル１１ｂの幅は、当該箱体用シートセットにより組み立てられる箱体に梱包が想定される梱包物の大きさに対応できるように適宜決定される。
【００２６】
（第１外れ留めフラップ）
４つの第１外れ留めフラップ１２は、４つの第１側面パネル１１それぞれから１つずつ延出する。この第１外れ留めフラップ１２は、図２に示すように、組立時に第１多角筒状部１５の内面に折り重ねられる。
【００２７】
第１外れ留めフラップ１２の幅（図１のｙ方向の長さ）は、特に限定されないが、強度の観点や、後述する第２外れ留めフラップ２２との当接又は係合の容易性から、それぞれ延出する第１長側面パネル１１ａ及び第１短側面パネル１１ｂの幅と同等とすることが好ましい。また、第１外れ留めフラップ１２の幅を延出する第１長側面パネル１１ａや第１短側面パネル１１ｂの幅と同等とすることで、第１外れ留めフラップ１２を折り曲げた状態で隣接する第１外れ留めフラップ１２の側辺が当接する。この当接により第１外れ留めフラップ１２を折り曲げた状態で安定して固定させ易い。
【００２８】
一方、第１外れ留めフラップ１２の幅をそれぞれ延出する第１長側面パネル１１ａ及び第１短側面パネル１１ｂの幅より小さくしてもよい。この場合、第１外れ留めフラップ１２がその折り目により第１多角筒状部１５から離れる（後述する第２多角筒状部２５を内嵌させた状態で第２多角筒状部２５の外面に近づく）方向に力が加わり易くなるので、第１外れ留めフラップ１２の端縁と第２外れ留めフラップ２２の端縁とが当接又は係合し易くすることができる。
【００２９】
第１外れ留めフラップ１２の長さ（図１のｘ方向の長さ）は、特に限定されないが、組立時に対向する一対の第１外れ留めフラップ１２が、先端縁同士を突き合わせ可能に構成される長さとすることが好ましい。このように組立時に対向する一対の第１外れ留めフラップ１２を、先端縁同士を突き合わせ可能に構成することで、組立時に第１外れ留めフラップ１２により第１多角筒状部１５の一方の端縁側の開口１５ａを閉塞することができる。従って、第１箱部材１０を単独で利用することが可能となる。
【００３０】
具体的には、一対の第１長側面パネル１１ａからそれぞれ延出する一対の第１外れ留めフラップ１２（第１長外れ留めフラップ１２ａ）の長さを、例えば第１短側面パネル１１ｂの幅の１／２とするとよい。第１長外れ留めフラップ１２ａの長さを第１短側面パネル１１ｂの幅の１／２とすることで、一対の第１長外れ留めフラップ１２ａの先端縁同士を突き合わせ可能に構成できる。また、一対の第１長側面パネル１１ａからそれぞれ延出する一対の第１外れ留めフラップ１２（第１短外れ留めフラップ１２ｂ）の先端縁同士を突き合わせ可能に構成するよりも第１外れ留めフラップ１２の長さを短くできるので、第１箱部材用シート１の面積増加を抑止できる。なお、第１長外れ留めフラップ１２ａの先端縁同士を突き合わせ可能とする場合、第１短外れ留めフラップ１２ｂの長さは特に限定されないが、第１長外れ留めフラップ１２ａの長さと同等とすることが好ましい。
【００３１】
組立時に第１外れ留めフラップ１２により第１多角筒状部１５の一方の端縁側の開口１５ａを閉塞する必要がない場合は、第１外れ留めフラップ１２の長さは、第１外れ留めフラップ１２が折り曲げ可能で反発して戻ってきたり、途中で折れたりしない限り特に限定されない。第１箱部材用シート１の面積を最小化し、省資源化する観点からは、第１外れ留めフラップ１２の長さは、短いほどよい。
【００３２】
（第１蓋フラップ）
４つの第１蓋フラップ１３は、第１多角筒状部１５の他方の端縁側の開口１５ｂを閉塞可能である。つまり、組立時に４つの第１蓋フラップ１３は、第１多角筒状部１５の他方の端縁側の開口１５ｂを閉塞する第１蓋部１６を構成する。
【００３３】
第１蓋フラップ１３は、一対の第１長側面パネル１１ａからそれぞれ延出する第１蓋外フラップ１３ａと、一対の第１短側面パネル１１ｂからそれぞれ延出する第１蓋内フラップ１３ｂとから構成される。
【００３４】
第１蓋外フラップ１３ａ及び第１蓋内フラップ１３ｂの幅（図１のｙ方向の長さ）は、特に限定されないが、それぞれ延出する第１長側面パネル１１ａ及び第１短側面パネル１１ｂの幅と同等とすることが好ましい
【００３５】
第１蓋外フラップ１３ａは、一対の第１蓋外フラップ１３ａの先端縁同士を突き合わせ可能に構成され、第１蓋外フラップ１３ａの長さは、例えば第１短側面パネル１１ｂの幅の１／２とされる。これにより第１多角筒状部１５の他方の端縁側の開口１５ｂを閉塞できる。
【００３６】
一方、第１蓋内フラップ１３ｂの長さは、特に限定されないが、第１蓋外フラップ１３ａの長さと同等とできる。
【００３７】
第１蓋フラップ１３は、組立時、それぞれ延出する第１側面パネル１１に対して直角に折り曲げられ、重ね合わされて第１蓋部１６を形成する。具体的には以下の手順による。まず、第１蓋内フラップ１３ｂが先に折り曲げられ、その外面に接するように第１蓋外フラップ１３ａが折り曲げられる。上述のように一対の第１蓋外フラップ１３ａの先端縁同士を突き合わせ可能に構成されており、この突き合わせ部に例えば封函テープを貼着することで、第１蓋部１６が形成される。
【００３８】
（糊代部）
糊代部１４は、一方向に連接される４つの第１側面パネル１１の一方の側端と他方の側端とを連結するために設けられている。つまり、一方向に連接される４つの第１側面パネル１１を四角筒状に組み立てると、第１側面パネル１１のうち糊代部１４が設けられていない他方の側端に位置する第１側面パネル１１が、糊代部１４に当接可能となる。この第１側面パネル１１の当接部分を糊代部１４に貼着することで第１多角筒状部１５が構成できる。あるいは、貼着に代えてワイヤー接合等により第１多角筒状部１５を構成してもよい。
【００３９】
＜第２箱部材用シート＞
第２箱部材用シート２は、一方向に連接される４つの第２側面パネル２１と、隣接する２枚の第２側面パネル２１に跨って第２側面パネル２１の一方の端縁から延出する第２外れ留めフラップ２２と、第２側面パネル２１の他方の端縁から延出する４つの第２蓋フラップ２３と、一方の側端に配設される第２側面パネル２１の側縁から延出する糊代部２４とを有する。
【００４０】
（第２側面パネル）
第２側面パネル２１は、図４に示すように、組立時に第２多角筒状部２５を構成する。第２側面パネル数は第１側面パネル数と同数であり、４である。つまり、第２多角筒状部２５は、第１多角筒状部１５と同様に四角筒状となる。
【００４１】
図５に示すように、第２多角筒状部２５は、組立時に第１多角筒状部１５に内嵌し摺動可能に構成される。つまり、第２側面パネル２１は、第１側面パネル１１と方形状であり、一対の第２長側面パネル２１ａと一対の第２短側面パネル２１ｂとが交互に連接されている。また、第２長側面パネル２１ａの幅は第１長側面パネル１１ａの幅よりやや短く、第２短側面パネル２１ｂの幅は第２短側面パネル２１ｂの幅よりやや短い。このように第２側面パネル２１を構成することで、第２多角筒状部２５は、組立時に第１多角筒状部１５に内嵌し摺動可能となる。
【００４２】
第２長側面パネル２１ａの幅と第１長側面パネル１１ａの幅との差、及び第２短側面パネル２１ｂの幅と第２短側面パネル２１ｂの幅との差は、異なってもよいが、同等とすることが好ましい。第２長側面パネル２１ａの幅と第１長側面パネル１１ａの幅との差、及び第２短側面パネル２１ｂの幅と第２短側面パネル２１ｂの幅との差（以下、まとめて「第２側面パネル２１と第１側面パネル１１との幅の差」ともいう）の下限としては、当該箱体用シートセットに用いられるシートの厚さの２倍が好ましく、３倍がより好ましい。一方、第２側面パネル２１と第１側面パネル１１との幅の差の上限としては、上記シートの厚さの１０倍が好ましく、８倍がより好ましい。第２側面パネル２１と第１側面パネル１１との幅の差が上記下限未満であると、組立時に第１多角筒状部１５と第２多角筒状部２５とが、摺動し難くなり、当該箱体用シートセットにより組み立てられる箱体の取り扱い性が低下するおそれがある。また、上記箱体のコーナーが破れ易くなるおそれがある。逆に、第２側面パネル２１と第１側面パネル１１との幅の差が上記上限を超えると、嵌合させた第１多角筒状部１５と第２多角筒状部２５との間の隙間が広くなり過ぎ、スムーズな摺動が困難となるおそれや、第１多角筒状部１５と第２多角筒状部２５とが外れ易くなるおそれがある。
【００４３】
第２側面パネル２１（第２長側面パネル２１ａ及び第２短側面パネル２１ｂ）の長さは、当該箱体用シートセットにより組み立てられる箱体に梱包が想定される梱包物の大きさに対応できるように適宜決定される。
【００４４】
第１側面パネル１１と第２側面パネル２１の長さとの比の下限としては、１：３が好ましく、１：２がより好ましい。一方、第１側面パネル１１と第２側面パネル２１の長さとの比の上限としては、３：１が好ましく、２：１がより好ましい。第１側面パネル１１と第２側面パネル２１の長さとの比を上記範囲内とすることで、第１多角筒状部１５と第２多角筒状部２５とが摺動可能な範囲を広くとることができる。つまり、当該箱体用シートセットにより組み立てられる箱体の長さの可変範囲が広がり、より多くの種類の梱包物を梱包可能とすることができる。
【００４５】
（第２外れ留めフラップ）
第２外れ留めフラップ２２は、図３に示すように、隣合う第２長側面パネル２１ａ及び第２短側面パネル２１ｂに跨がって配設されている。また、２つの第２外れ留めフラップ２２は、それぞれ連接される第２側面パネル２１の側端から配設されている。
【００４６】
第２外れ留めフラップ２２は、例えば隣合う３枚の第２側面パネル２１に跨がるように１つ設けることも可能であるが、図３に示すように２枚の第２側面パネル２１に跨がって２つの第２外れ留めフラップ２２を設けることが好ましい。第２外れ留めフラップ数を２とすることで、第２側面パネル２１の一方の端縁全てに第２外れ留めフラップ２２が配設されるので、第１外れ留めフラップ１２の端縁と第２外れ留めフラップ２２の端縁とをより確実に当接又は係合させることができるとともに、当接又は係合による破損に対する強度を確保し易い。また、組立時、第２多角筒状部２５の一方の端縁側の開口２５ａの対角に切れ目が位置するので、この対角を折り目として、第２多角筒状部２５を畳み易くできる。従って、２枚の第２側面パネル２１に跨がって２つの第２外れ留めフラップ２２を設けることで、組立時の第２箱部材２０の収納を容易化できる。さらに、第２外れ留めフラップ数を２とすることで、第２外れ留めフラップ２２を第２多角筒状部２５に重ね折りし易くなるうえ、跳ね戻りが発生し難いため摺動時にも邪魔になり難い。
【００４７】
第２外れ留めフラップ２２は、図４に示すように、組立時に第２多角筒状部２５の外面に折り重ねられる。また、組立時、第２多角筒状部２５を第１多角筒状部１５に内嵌させた後、第１多角筒状部１５及び第２多角筒状部２５を離間する方向に摺動させた際、図６に示すように、第１外れ留めフラップ１２の端縁と第２外れ留めフラップ２２の端縁とが当接又は係合するように構成される。なお、図６には第１外れ留めフラップ１２の端縁と第２外れ留めフラップ２２の端縁とが当接した状態が示されている。以下、図５及び図６を参照しながら、この第１外れ留めフラップ１２及び第２外れ留めフラップ２２の箱体における役割について説明する。
【００４８】
当該箱体用シートセットでは、第１外れ留めフラップ１２は第１多角筒状部１５の内面に折り重ねられて第１箱部材１０が形成され、第２外れ留めフラップ２２は第２多角筒状部２５の外面に折り重ねられて第２箱部材２０が形成される。このように形成された第１箱部材１０及び第２箱部材２０において、第２多角筒状部２５を第１多角筒状部１５に内嵌させる際には、第１外れ留めフラップ１２の折り目部分と、第２外れ留めフラップ２２の折り目部分とが当接し、第１外れ留めフラップ１２は第１多角筒状部１５の内面に沿うように、また第２外れ留めフラップ２２は第２多角筒状部２５の外面に沿うように力が加わり、容易に内嵌させることができる。
【００４９】
一方、図５に示すように、第２外れ留めフラップ２２が第１外れ留めフラップ１２よりも第１多角筒状部１５の奥側に位置するまで第２多角筒状部２５を第１多角筒状部１５に内嵌させると、第１外れ留めフラップ１２は、その折り目により第１多角筒状部１５から離れる（第２多角筒状部２５の外面に近づく）方向に力が加わり、第２外れ留めフラップ２２は、その折り目により第２多角筒状部２５から離れる（第１多角筒状部１５の内面に近づく）方向に力が加わる。この状態で、第１多角筒状部１５及び第２多角筒状部２５を離間する方向に摺動させると、図６に示すように、第１外れ留めフラップ１２の端縁と第２外れ留めフラップ２２の端縁とが当接する。この当接により第１多角筒状部１５及び第２多角筒状部２５はさらに離間することが難しくなるので、第１箱部材１０及び第２箱部材２０を外れ難くすることができる。
【００５０】
なお、第１多角筒状部１５の内面と第２多角筒状部２５の外面との間の隙間の大きさによっては、第２外れ留めフラップ２２の端縁が第１外れ留めフラップ１２と第１多角筒状部１５の内面との間に入り込む「係合」が生じ得るが、このように第１外れ留めフラップ１２の端縁と第２外れ留めフラップ２２の端縁とが係合する場合であっても、同様の効果を奏する。
【００５１】
第２外れ留めフラップ２２は、隣接する第２側面パネル２１の境界線から連続して延出する切断線２２ａを有する。このように第２外れ留めフラップ２２に切断線２２ａを設けることで、この切断線２２ａを起点として第２外れ留めフラップ２２を精度よく折り曲げ易くすることができる。従って、第２箱部材２０を組み立て易くするとともに、その形状を安定させることができる。
【００５２】
第２外れ留めフラップ２２の幅（図１のｙ方向の長さ）は、特に限定されないが、強度の観点や、第１外れ留めフラップ１２との当接又は係合の容易性から、第２長側面パネル２１ａ及び第２短側面パネル２１ｂの幅の和と同等とすることが好ましい。
【００５３】
第２外れ留めフラップ２２の長さ（図１のｘ方向の長さ）は、特に限定されないが、第２外れ留めフラップ２２を切断線２２ａに沿って切断した状態で、組立時に対向する一対の第２外れ留めフラップ２２が、先端縁同士を突き合わせ可能に構成されるとよい。このように第２外れ留めフラップ２２を、先端縁同士を突き合わせ可能に構成することで、組立時に第２外れ留めフラップ２２により第２多角筒状部２５の一方の端縁側の開口２５ａを閉塞することができる。従って、第２箱部材２０を単独で利用することが可能となる。
【００５４】
具体的には、第２外れ留めフラップ２２の長さを、例えば第２短側面パネル２１ｂの幅の１／２とするとよい。第２外れ留めフラップ２２の長さを第２短側面パネル２１ｂの幅の１／２とすることで、切断線２２ａで切断後の一対の第２外れ留めフラップ２２の先端縁同士を突き合わせ可能に構成できる。なお、開口２５ａを閉塞する必要がない場合は、第２外れ留めフラップ２２の長さは、第１外れ留めフラップ１２と同様に、安定して折り曲げ可能である限り特に限定されないが、短いほどよい。
【００５５】
（第２蓋フラップ）
第２蓋フラップ２３は、一対の第２長側面パネル２１ａからそれぞれ延出する第２蓋外フラップ２３ａと、一対の第２短側面パネル２１ｂからそれぞれ延出する第２蓋内フラップ２３ｂとから構成される。４つの第２蓋フラップ２３は、第２多角筒状部２５の他方の端縁側の開口２５ｂを閉塞可能である。つまり、組立時に４つの第２蓋フラップ２３は、第２多角筒状部２５の他方の端縁側の開口２５ｂを閉塞する第２蓋部２６を構成することができる。
【００５６】
また、この第２蓋フラップ２３は、第２多角筒状部２５の内面に折り重ねられる第３外れ留めフラップとして用いることもできる。この場合、第２箱部材２０に、さらに他の箱部材を内嵌し摺動可能に構成し、３つ以上の箱部材を組み合わせた箱体とすることができる。
【００５７】
第２蓋フラップ２３は、第１蓋フラップ１３と同様の構成とできるので、詳細説明は省略する。
【００５８】
（糊代部）
糊代部２４は、一方向に連接される４つの第２側面パネル２１の一方の側端と他方の側端とを連結するために設けられている。つまり、一方向に連接される４つの第２側面パネル２１を四角筒状に組み立てると、第２側面パネル２１のうち糊代部２４が設けられていない他方の側端に位置する第２側面パネル２１が、糊代部２４に当接可能となる。この第２側面パネル２１の当接部分を糊代部２４に貼着することで第２多角筒状部２５が構成できる。あるいは、貼着に代えてワイヤー接合等により第２多角筒状部２５を構成してもよい。
【００５９】
＜箱体の使用方法＞
上述のように当該箱体用シートセットの第１箱部材用シート１及び第２箱部材用シート２を組み立てることで、それぞれ第１箱部材１０及び第２箱部材２０を得ることができる。上述のように第１箱部材１０及び第２箱部材２０は、単独で使用することもできるが、以下に組み合わせて使用する場合の使用方法（以下、単に「箱体の使用方法」ともいう）について説明する。
【００６０】
上記箱体の使用方法は、全長が長い物品、いわゆる長尺物の梱包に好適に用いることができる。以下、長尺物を例にとり上記箱体の使用方法について述べる。
【００６１】
まず、第１箱部材１０を用い、第１多角筒状部１５の第１外れ留めフラップ１２が配設されている側の開口１５ａから長尺物を収納する。このとき、長尺物は長さ方向が第１多角筒状部１５の中心線に沿うように長さ方向の一端側から収納される。収納後、長尺物の他端側は第１多角筒状部１５の開口１５ａから突出していてもよい。
【００６２】
次に、第２箱部材２０を用い、第２多角筒状部２５の第２外れ留めフラップ２２が配設されている側の開口２５ａから長尺物の他端側に被せ、第２多角筒状部２５を第１多角筒状部１５に内嵌させる。このとき、少なくとも第２外れ留めフラップ２２が第１外れ留めフラップ１２よりも第１多角筒状部１５の奥側に位置するまで第２多角筒状部２５を第１多角筒状部１５に内嵌させる。
【００６３】
さらに、第２多角筒状部２５を適宜の位置まで摺動させ、固定する。上記適宜の位置とは、目的に応じて異なり得るが、少なくとも長尺物を梱包可能な位置であり、例えば第２多角筒状部２５が内嵌した状態で、第１多角筒状部１５と第２多角筒状部２５との長さの和が最小となる位置を選択することができる。
【００６４】
このとき、仮に第２多角筒状部２５を離間する方向に摺動させたとしても、第１外れ留めフラップ１２の端縁と第２外れ留めフラップ２２の端縁とが当接又は係合するので、第１箱部材１０及び第２箱部材２０が外れることを抑止できるので、長尺物が露出し難い。
【００６５】
第２多角筒状部２５を固定する方法は、特に限定されないが、第１多角筒状部１５の開口１５ａの部分を第２多角筒状部２５の外面と封函テープで貼着する方法などを挙げることができる。
【００６６】
上記箱体の使用方法では、以上のようにして、長尺物を梱包することができる。
【００６７】
＜箱体の解体方法＞
一方、上記箱体の使用方法に基づいて使用した箱体は、以下の手順で解体することができる。
【００６８】
まず、第１蓋部１６及び第２蓋部２６の一方又は両方を開封し、梱包された長尺物を取り出す。また、第２多角筒状部２５の固定を解除する。具体的には、例えば第１多角筒状部１５の開口１５ａの部分が第２多角筒状部２５の外面に封函テープで貼着されている場合であれば、この封函テープを剥がす。なお、長尺物の取り出しと、第２多角筒状部２５の固定解除とは、逆の順序、つまり第２多角筒状部２５の固定解除を先に行うこともできる。
【００６９】
次に、第１多角筒状部１５に嵌合している第２多角筒状部２５を、第２外れ留めフラップ２２が第１蓋部１６へ向かう方向へ押し込む。さらに同方向へ第２多角筒状部２５を押し続けると、第２多角筒状部２５を、第１蓋部１６側から第１多角筒状部１５より離間させる。これにより第１箱部材１０と第２箱部材２０との嵌合を解除することができる。
【００７０】
上述のように上記箱体の解体方法では、第１箱部材１０や第２箱部材２０を破ったり切断したりすることなく、元の離間した第１箱部材１０及び第２箱部材２０に戻すことができる。上記箱体の解体方法は、このように第１箱部材１０及び第２箱部材２０に戻すことができるので、例えば梱包時に誤って連結させた場合にも適用することができる。
【００７１】
＜利点＞
当該箱体用シートセットにより組み立てられる第１箱部材１０及び第２箱部材２０は、第２多角筒状部２５を第１多角筒状部１５に内嵌させ、摺動させることができる。この摺動により第１箱部材１０と第２箱部材２０とが重なる部分の長さを変え、第１箱部材１０及び第２箱部材２０を組み合わせた箱体の長さの変更を容易に行うことができる。また、第１箱部材１０及び第２箱部材２０は、第１多角筒状部１５及び第２多角筒状部２５を離間する方向に摺動させた際、第１外れ留めフラップ１２の端縁と第２外れ留めフラップ２２の端縁とが当接又は係合するように構成されている。この当接又は係合により第１箱部材１０及び第２箱部材２０が外れることを抑止できるので、梱包物が露出し難い。
【００７２】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００７３】
上記実施形態では、第１箱部材の第１多角筒状部及び第２箱部材の第２多角筒状部が、四角筒状である場合を説明したが、三角筒状や五角形以上の筒状であってもよい。
【００７４】
上記実施形態では、第２外れ留めフラップが、隣接する第２側面パネルの境界線から連続して延出する切断線を有する場合を説明したが、この切断線は必須の構成要件ではない。切断線に代えて折り目を有する構成や、切断線を有さない構成も本発明の意図するところである。
【００７５】
上記実施形態では、４つの第１蓋フラップを有する場合を説明したが、第１蓋フラップ数は４に限定されるものではない。例えば１つの第１蓋フラップを有し、この１つの第１蓋フラップにより第１多角筒状部の開口を閉塞可能に構成することもできる。第２蓋フラップ数についても同様に４に限定されるものではない。
【００７６】
上記実施形態では、第１箱部材用シート及び第２箱部材用シートが糊代部を有し、この糊代部への貼着により第１多角筒状部及び第２多角筒状部を組み立てる構成を説明したが、第１多角筒状部及び第２多角筒状部の組み立てる方法はこれに限定されない。例えば封函テープの貼着により構成することもできる。この場合、上記糊代部は不要とできる。
【産業上の利用可能性】
【００７７】
以上説明したように、本発明の箱体用シートセットを用いることで、長さの変更が容易であり、かつ梱包物が露出し難い箱体が形成できる。
【符号の説明】
【００７８】
１  第１箱部材用シート
１０  第１箱部材
１１  第１側面パネル
１１ａ  第１長側面パネル
１１ｂ  第１短側面パネル
１２  第１外れ留めフラップ
１２ａ  第１長外れ留めフラップ
１２ｂ  第１短外れ留めフラップ
１３  第１蓋フラップ
１３ａ  第１蓋外フラップ
１３ｂ  第１蓋内フラップ
１４  糊代部
１５  第１多角筒状部
１５ａ、１５ｂ  開口
１６  第１蓋部
２  第２箱部材用シート
２０  第２箱部材
２１  第２側面パネル
２１ａ  第２長側面パネル
２１ｂ  第２短側面パネル
２２  第２外れ留めフラップ
２２ａ  切断線
２３  第２蓋フラップ
２３ａ  第２蓋外フラップ
２３ｂ  第２蓋内フラップ
２４  糊代部
２５  第２多角筒状部
２５ａ、２５ｂ  開口
２６  第２蓋部
【図１】
2020117231.tif 000003
【図２】
2020117231.tif 000004
【図３】
2020117231.tif 000005
【図４】
2020117231.tif 000006
【図５】
2020117231.tif 000007
【図６】
2020117231.tif 000008
【手続補正書】
【提出日】平成31年4月10日(2019.4.10)
【手続補正１】
【補正対象書類名】特許請求の範囲
【補正対象項目名】請求項１
【補正方法】変更
【補正の内容】
【請求項１】
第１箱部材用シート及び第２箱部材用シートを備える長さが変更できる長尺箱の箱体用シートセットであって、
上記第１箱部材用シートが、
一方向に連接され、組立時に第１多角筒状部を構成する複数の第１側面パネルと、
上記複数の第１側面パネルの一方の端縁から延出し、上記第１多角筒状部の内面に折り重ねられる複数の第１外れ留めフラップと、
少なくとも１つの上記第１側面パネルの他方の端縁から延出し、上記第１多角筒状部の他方の端縁側の開口を閉塞可能な１又は複数の第１蓋フラップと
を有し、
上記第２箱部材用シートが、
一方向に連接され、組立時に第２多角筒状部を構成する上記第１側面パネルと同数の第２側面パネルと、
隣接する２以上の第２側面パネルに跨って上記第２側面パネルの一方の端縁から延出し、上記第２多角筒状部の外面に折り重ねられる複数の第２外れ留めフラップと
を有し、
組立時に、上記第２多角筒状部が上記第１多角筒状部に内嵌し摺動可能に構成され、かつ上記第１多角筒状部及び上記第２多角筒状部を離間する方向に摺動させた際、上記複数の第１外れ留めフラップの端縁と上記複数の第２外れ留めフラップの端縁とが当接又は係合するように構成され、
上記第２側面パネルの幅が上記第１側面パネルの幅より短く、この幅の差が上記第１箱部材用シート及び第２箱部材用シートに用いられるシートの厚さの２倍以上１０倍以下である箱体用シートセット。